(57)【特許請求の範囲】
【請求項１】
冷却対象を備えるプロジェクターであって、
光を射出する光源装置と、
前記光源装置からの光を画像信号に応じて変調する光変調装置と、
前記光変調装置により変調された光を投射する投射光学装置と、
冷媒が気体へ変化することで前記冷却対象を冷却する冷却装置と、
前記冷却装置を制御する制御装置と、
を備え、
前記冷却装置は、
前記冷媒を生成する冷媒生成部と、
生成された前記冷媒を前記冷却対象に向けて伝送する冷媒伝送部と、
を有し、
前記冷媒生成部は、
回転する吸放湿部材と、
第１領域に位置する前記吸放湿部材の部分に空気を送る第１送風装置と、
前記冷媒伝送部に接続された熱交換部と、
前記第１領域と異なる第２領域に位置する前記吸放湿部材の部分を加熱する加熱部と、
前記吸放湿部材における前記加熱部によって加熱された部分の周囲の空気を前記熱交換部に送る第２送風装置と、
を有し、
前記熱交換部は、冷却されることで前記熱交換部に流入した空気から前記冷媒を生成し、
前記制御装置は、前記冷却対象の温度および前記プロジェクターの周囲の湿度のうち少なくとも一方に基づいて、前記第１送風装置の出力、前記加熱部の出力、および前記熱交換部の冷却度合いのうち少なくとも１つを制御することを特徴とするプロジェクター。
【請求項２】
前記制御装置は、前記冷却対象の温度が目標温度範囲外である場合、前記第１送風装置の出力、前記加熱部の出力、および前記熱交換部の冷却度合いのうち少なくとも１つを変更する、請求項１に記載のプロジェクター。
【請求項３】
前記制御装置は、前記冷却対象の温度が前記目標温度範囲よりも高い場合、前記第１送風装置の出力、前記加熱部の出力、および前記熱交換部の冷却度合いのうち少なくとも１つを大きくする、請求項２に記載のプロジェクター。
【請求項４】
前記制御装置は、前記冷却対象の温度が前記目標温度範囲よりも低い場合、前記第１送風装置の出力、前記加熱部の出力、および前記熱交換部の冷却度合いのうち少なくとも１つを小さくする、請求項２または３に記載のプロジェクター。
【請求項５】
前記制御装置は、前記冷却対象の温度に基づいて、前記第１送風装置の出力、前記加熱部の出力、および前記熱交換部の冷却度合いのうち全てを制御する、請求項１から４のいずれか一項に記載のプロジェクター。
【請求項６】
前記制御装置は、前記プロジェクターの周囲の湿度が設定湿度範囲外である場合、前記第１送風装置の出力、前記加熱部の出力、および前記熱交換部の冷却度合いのうち少なくとも１つを変更する、請求項１から５のいずれか一項に記載のプロジェクター。
【請求項７】
前記制御装置は、前記プロジェクターの周囲の湿度が前記設定湿度範囲よりも高い場合、前記第１送風装置の出力、前記加熱部の出力、および前記熱交換部の冷却度合いのうち少なくとも１つを、前記プロジェクターの周囲の湿度が前記設定湿度範囲内である場合に設定されている大きさよりも小さくする、請求項６に記載のプロジェクター。
【請求項８】
前記制御装置は、前記プロジェクターの周囲の湿度が前記設定湿度範囲よりも低い場合、前記第１送風装置の出力、前記加熱部の出力、および前記熱交換部の冷却度合いのうち少なくとも１つを、前記プロジェクターの周囲の湿度が前記設定湿度範囲内である場合に設定されている大きさよりも大きくする、請求項６または７に記載のプロジェクター。
【請求項９】
前記制御装置は、前記プロジェクターの周囲の湿度に基づいて、前記第１送風装置の出力、前記加熱部の出力、および前記熱交換部の冷却度合いのうち全てを制御する、請求項１から８のいずれか一項に記載のプロジェクター。
【請求項１０】
前記制御装置は、前記冷却対象の温度および前記プロジェクターの周囲の湿度の両方に基づいて、前記冷媒生成部を制御する、請求項１から９のいずれか一項に記載のプロジェクター。
【請求項１１】
前記制御装置は、前記プロジェクターの周囲の湿度に基づく前記冷媒生成部の制御に対して、前記冷却対象の温度に基づく前記冷媒生成部の制御を優先させる、請求項１０に記載のプロジェクター。
【請求項１２】
前記冷却対象は、前記光変調装置である、請求項１から１１のいずれか一項に記載のプロジェクター。
【発明の詳細な説明】
【技術分野】
【０００１】
本発明は、プロジェクターに関する。
【背景技術】
【０００２】
プロジェクターを冷却する手段として、例えば特許文献１に示すような送風装置を用いた空冷による冷却手段、および例えば特許文献２に示すような冷媒液を送るポンプと冷媒液を通す配管とを用いた液冷による冷却手段等が提案されている。
【先行技術文献】
【特許文献】
【０００３】
【特許文献１】特開２００２−１０７６９８号公報
【特許文献２】特開２００７−２９４６５５号公報
【発明の概要】
【発明が解決しようとする課題】
【０００４】
近年、プロジェクターの高輝度化等に伴って、冷却手段によって冷却される冷却対象の熱量が増加しており、冷却手段による冷却性能の向上が求められている。しかし、上述した空冷および液冷等の冷却手段において冷却性能を向上させる場合、冷却手段が大型化し、プロジェクターが大型化する問題がある。また、空冷の場合には、送風装置による騒音が増大する問題もある。
【課題を解決するための手段】
【０００５】
本発明のプロジェクターの一つの態様は、冷却対象を備えるプロジェクターであって、光を射出する光源装置と、前記光源装置からの光を画像信号に応じて変調する光変調装置と、前記光変調装置により変調された光を投射する投射光学装置と、冷媒が気体へ変化することで前記冷却対象を冷却する冷却装置と、前記冷却装置を制御する制御装置と、を備え、前記冷却装置は、前記冷媒を生成する冷媒生成部と、生成された前記冷媒を前記冷却対象に向けて伝送する冷媒伝送部と、を有し、前記冷媒生成部は、回転する吸放湿部材と、第１領域に位置する前記吸放湿部材の部分に空気を送る第１送風装置と、前記冷媒伝送部に接続された熱交換部と、前記第１領域と異なる第２領域に位置する前記吸放湿部材の部分を加熱する加熱部と、前記吸放湿部材における前記加熱部によって加熱された部分の周囲の空気を前記熱交換部に送る第２送風装置と、を有し、前記熱交換部は、冷却されることで前記熱交換部に流入した空気から前記冷媒を生成し、前記制御装置は、前記冷却対象の温度および前記プロジェクターの周囲の湿度のうち少なくとも一方に基づいて、前記第１送風装置の出力、前記加熱部の出力、および前記熱交換部の冷却度合いのうち少なくとも１つを制御することを特徴とする。
本発明のプロジェクターの一つの態様は、冷却対象を備えるプロジェクターであって、光を射出する光源装置と、前記光源装置からの光を画像信号に応じて変調する光変調装置と、前記光変調装置により変調された光を投射する投射光学装置と、冷媒が気体へ変化することで前記冷却対象を冷却する冷却装置と、前記冷却装置を制御する制御装置と、を備え、前記冷却装置は、前記冷媒を生成する冷媒生成部と、生成された前記冷媒を前記冷却対象に向けて伝送する冷媒伝送部と、を有し、前記制御装置は、前記冷却対象の温度および前記プロジェクターの周囲の湿度のうち少なくとも一方に基づいて、前記冷媒生成部を制御することを特徴とする。
【０００６】
前記冷媒生成部は、回転する吸放湿部材と、第１領域に位置する前記吸放湿部材の部分に空気を送る第１送風装置と、前記冷媒伝送部に接続された熱交換部と、前記第１領域と異なる第２領域に位置する前記吸放湿部材の部分を加熱する加熱部と、前記吸放湿部材における前記加熱部によって加熱された部分の周囲の空気を前記熱交換部に送る第２送風装置と、を有し、前記熱交換部は、冷却されることで前記熱交換部に流入した空気から前記冷媒を生成し、前記制御装置は、前記冷却対象の温度および前記プロジェクターの周囲の湿度のうち少なくとも一方に基づいて、前記第１送風装置の出力、前記加熱部の出力、および前記熱交換部の冷却度合いのうち少なくとも１つを制御する構成としてもよい。
【０００７】
前記制御装置は、前記冷却対象の温度が目標温度範囲外である場合、前記第１送風装置の出力、前記加熱部の出力、および前記熱交換部の冷却度合いのうち少なくとも１つを変更する構成としてもよい。
【０００８】
前記制御装置は、前記冷却対象の温度が前記目標温度範囲よりも高い場合、前記第１送風装置の出力、前記加熱部の出力、および前記熱交換部の冷却度合いのうち少なくとも１つを大きくする構成としてもよい。
【０００９】
前記制御装置は、前記冷却対象の温度が前記目標温度範囲よりも低い場合、前記第１送風装置の出力、前記加熱部の出力、および前記熱交換部の冷却度合いのうち少なくとも１つを小さくする構成としてもよい。
【００１０】
前記制御装置は、前記冷却対象の温度に基づいて、前記第１送風装置の出力、前記加熱部の出力、および前記熱交換部の冷却度合いのうち全てを制御する構成としてもよい。
【００１１】
前記制御装置は、前記プロジェクターの周囲の湿度が設定湿度範囲外である場合、前記第１送風装置の出力、前記加熱部の出力、および前記熱交換部の冷却度合いのうち少なくとも１つを変更する構成としてもよい。
【００１２】
前記制御装置は、前記プロジェクターの周囲の湿度が前記設定湿度範囲よりも高い場合、前記第１送風装置の出力、前記加熱部の出力、および前記熱交換部の冷却度合いのうち少なくとも１つを、前記プロジェクターの周囲の湿度が前記設定湿度範囲内である場合に設定されている大きさよりも小さくする構成としてもよい。
【００１３】
前記制御装置は、前記プロジェクターの周囲の湿度が前記設定湿度範囲よりも低い場合、前記第１送風装置の出力、前記加熱部の出力、および前記熱交換部の冷却度合いのうち少なくとも１つを、前記プロジェクターの周囲の湿度が前記設定湿度範囲内である場合に設定されている大きさよりも大きくする構成としてもよい。
【００１４】
前記制御装置は、前記プロジェクターの周囲の湿度に基づいて、前記第１送風装置の出力、前記加熱部の出力、および前記熱交換部の冷却度合いのうち全てを制御する構成としてもよい。
【００１５】
前記制御装置は、前記冷却対象の温度および前記プロジェクターの周囲の湿度の両方に基づいて、前記冷媒生成部を制御する構成としてもよい。
【００１６】
前記制御装置は、前記プロジェクターの周囲の湿度に基づく前記冷媒生成部の制御に対して、前記冷却対象の温度に基づく前記冷媒生成部の制御を優先させる構成としてもよい。
【００１７】
前記冷却対象は、前記光変調装置である構成としてもよい。
【図面の簡単な説明】
【００１８】
【図１】第１実施形態のプロジェクターを示す概略構成図である。
【図２】第１実施形態のプロジェクターの一部を示す模式図である。
【図３】第１実施形態の冷媒生成部を模式的に示す概略構成図である。
【図４】第１実施形態の吸放湿部材を示す斜視図である。
【図５】第１実施形態の熱交換部を示す部分断面斜視図である。
【図６】第１実施形態の光変調ユニットと光合成光学系とを示す斜視図である。
【図７】第１実施形態の光変調ユニットを光入射側から視た図である。
【図８】第１実施形態の光変調ユニットを示す図であって、図７におけるＶＩＩＩ−ＶＩＩＩ断面図である。
【図９】第１実施形態の冷媒保持部を示す図である。
【図１０】第１実施形態の制御装置の制御手順の一例を示すフローチャートである。
【図１１】第２実施形態の制御装置の制御手順の一例を示すフローチャートである。
【発明を実施するための形態】
【００１９】
以下、図面を参照しながら、本発明の実施形態に係るプロジェクターについて説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００２０】
＜第１実施形態＞
図１は、本実施形態のプロジェクター１を示す概略構成図である。図２は、本実施形態のプロジェクター１の一部を示す模式図である。図１に示すように、プロジェクター１は、光源装置２と、色分離光学系３と、光変調ユニット４Ｒと、光変調ユニット４Ｇと、光変調ユニット４Ｂと、光合成光学系５と、投射光学装置６と、を備える。光変調ユニット４Ｒは、光変調装置４ＲＰを有する。光変調ユニット４Ｇは、光変調装置４ＧＰを有する。光変調ユニット４Ｂは、光変調装置４ＢＰを有する。
【００２１】
光源装置２は、略均一な照度分布を有するように調整された照明光ＷＬを色分離光学系３に向けて射出する。光源装置２は、光源として、例えば、半導体レーザーを有する。色分離光学系３は、光源装置２からの照明光ＷＬを赤色光ＬＲと緑色光ＬＧと青色光ＬＢとに分離する。色分離光学系３は、第１のダイクロイックミラー７ａと、第２のダイクロイックミラー７ｂと、第１の反射ミラー８ａと、第２の反射ミラー８ｂと、第３の反射ミラー８ｃと、リレーレンズ８ｄと、を備える。
【００２２】
第１のダイクロイックミラー７ａは、光源装置２から射出された照明光ＷＬを、赤色光ＬＲと、緑色光ＬＧと青色光ＬＢとが混合された光と、に分離する。第１のダイクロイックミラー７ａは、赤色光ＬＲを透過させるとともに、緑色光ＬＧおよび青色光ＬＢを反射する特性を有する。第２のダイクロイックミラー７ｂは、緑色光ＬＧと青色光ＬＢとが混合された光を緑色光ＬＧと青色光ＬＢとに分離する。第２のダイクロイックミラー７ｂは、緑色光ＬＧを反射するとともに、青色光ＬＢを透過させる特性を有する。
【００２３】
第１の反射ミラー８ａは、赤色光ＬＲの光路中に配置され、第１のダイクロイックミラー７ａを透過した赤色光ＬＲを光変調装置４ＲＰに向けて反射する。第２の反射ミラー８ｂおよび第３の反射ミラー８ｃは、青色光ＬＢの光路中に配置され、第２のダイクロイックミラー７ｂを透過した青色光ＬＢを光変調装置４ＢＰに導く。
【００２４】
光変調装置４ＲＰ、光変調装置４ＧＰ、および光変調装置４ＢＰの各々は、液晶パネルから構成されている。光変調装置４ＲＰは、光源装置２から射出された光のうち赤色光ＬＲを画像信号に応じて変調する。光変調装置４ＧＰは、光源装置２から射出された光のうち緑色光ＬＧを画像信号に応じて変調する。光変調装置４ＢＰは、光源装置２から射出された光のうち青色光ＬＢを画像信号に応じて変調する。これにより、各光変調装置４ＲＰ，４ＧＰ，４ＢＰは、各色光に対応した画像光を形成する。図示は省略するが、光変調装置４ＲＰ，４ＧＰ，４ＢＰの各々の光入射側および光射出側には、偏光板が配置されている。
【００２５】
光変調装置４ＲＰの光入射側には、光変調装置４ＲＰに入射する赤色光ＬＲを平行化するフィールドレンズ９Ｒが配置されている。光変調装置４ＧＰの光入射側には、光変調装置４ＧＰに入射する緑色光ＬＧを平行化するフィールドレンズ９Ｇが配置されている。光変調装置４ＢＰの光入射側には、光変調装置４ＢＰに入射する青色光ＬＢを平行化するフィールドレンズ９Ｂが配置されている。
【００２６】
光合成光学系５は、略立方体状のクロスダイクロイックプリズムから構成されている。光合成光学系５は、光変調装置４ＲＰ，４ＧＰ，４ＢＰからの各色の画像光を合成する。光合成光学系５は、合成した画像光を投射光学装置６に向かって射出する。投射光学装置６は、投射レンズ群から構成されている。投射光学装置６は、光合成光学系５により合成された画像光、すなわち光変調装置４ＲＰ，４ＧＰ，４ＢＰにより変調された光をスクリーンＳＣＲに向かって拡大投射する。これにより、スクリーンＳＣＲ上には、拡大されたカラー画像（映像）が表示される。
【００２７】
プロジェクター１は、図２に示すように、冷却装置１０をさらに備える。冷却装置１０は、冷媒Ｗが気体へ変化することで、プロジェクター１に備えられた冷却対象を冷却する。本実施形態において冷媒Ｗは、例えば、液体の水である。そのため、以下の説明においては、冷媒Ｗが気体へ変化することを単に気化と呼ぶ場合がある。本実施形態において冷却対象は、光変調ユニット４Ｒ，４Ｇ，４Ｂを含む。すなわち、本実施形態において冷却対象は、光変調装置４ＲＰ，４ＧＰ，４ＢＰを含む。
【００２８】
冷却装置１０は、冷媒生成部２０と、冷媒伝送部５０と、を有する。冷媒生成部２０は、冷媒Ｗを生成する部分である。冷媒伝送部５０は、生成された冷媒Ｗを冷却対象に向けて伝送する部分である。冷媒伝送部５０によって冷却対象、すなわち本実施形態では光変調ユニット４Ｒ，４Ｇ，４Ｂに送られた冷媒Ｗが気化することで冷却対象から熱を奪うことができ、冷却装置１０は、冷却対象を冷却することができる。以下、各部について詳細に説明する。
【００２９】
図３は、本実施形態の冷媒生成部２０を模式的に示す概略構成図である。冷媒生成部２０は、図３に示すように、吸放湿部材４０と、モーター（駆動部）２４と、第１送風装置（冷却送風装置）６０と、熱交換部３０と、循環ダクト２５と、循環ダクト２６と、加熱部２２と、第２送風装置２３と、冷却ダクト２１と、を有する。
【００３０】
図４は、吸放湿部材４０を示す斜視図である。吸放湿部材４０は、図４に示すように、回転軸Ｒを中心とした扁平の円柱状である。吸放湿部材４０の中心には、回転軸Ｒを中心とする中心孔４０ｃが形成されている。中心孔４０ｃは、回転軸Ｒの軸方向に吸放湿部材４０を貫通する。吸放湿部材４０は、回転軸Ｒ周りに回転する。以下の説明においては、回転軸Ｒの軸方向を「回転軸方向ＤＲ」と呼び、適宜図においてＤＲ軸で示す。
【００３１】
吸放湿部材４０は、吸放湿部材４０を回転軸方向ＤＲに貫通する無数の貫通孔４０ｂを有する。吸放湿部材４０は、多孔質部材である。吸放湿部材４０は、吸放湿性を有する。本実施形態において吸放湿部材４０は、例えば、貫通孔４０ｂを有する帯状の帯状部材４０ａを回転軸Ｒ周りに巻き、巻かれた帯状部材４０ａにおける外部に露出する面に吸放湿性を有する物質を塗布して作られている。なお、巻かれた帯状部材４０ａにおける外部に露出する面とは、吸放湿部材４０の外表面、中心孔４０ｃの内周面および貫通孔４０ｂの内側面を含む。なお、吸放湿部材４０は、全体が吸放湿性を有する物質から作られていてもよい。吸放湿性を有する物質としては、例えば、ゼオライトやシリカゲル等が挙げられる。
【００３２】
図３に示すモーター２４の出力軸は、吸放湿部材４０の中心孔４０ｃに挿入されて固定されている。モーター２４は、吸放湿部材４０を回転軸Ｒ周りに回転させる。モーター２４によって回転させられる吸放湿部材４０の回転速度は、例えば、０．２ｒｐｍ以上、５ｒｐｍ以下程度である。
【００３３】
第１送風装置６０は、例えば、プロジェクター１内に外部の空気を取り込む吸気ファンである。第１送風装置６０は、第１領域Ｆ１に位置する吸放湿部材４０の部分に空気ＡＲ１を送る。第１領域Ｆ１は、回転軸Ｒと直交する方向において、回転軸Ｒよりも一方側の領域である。一方、回転軸Ｒと直交する方向において、回転軸Ｒよりも他方側の領域、すなわち回転軸Ｒに対して第１領域Ｆ１と逆側の領域は、第２領域Ｆ２である。第１領域Ｆ１は、図３では回転軸Ｒよりも上側の領域である。第２領域Ｆ２は、図３では回転軸Ｒよりも下側の領域である。
【００３４】
第１送風装置６０は、図２に示すように、冷却対象である光変調ユニット４Ｒ，４Ｇ，４Ｂにも空気ＡＲ１を送る。すなわち、本実施形態において第１送風装置６０は、冷却対象に空気ＡＲ１を送る冷却送風装置である。第１送風装置６０は、空気ＡＲ１を送れることができるならば、特に限定されず、例えば、軸流ファンであっても、遠心ファンであってもよい。
【００３５】
熱交換部３０は、冷媒Ｗが生成される部分である。図５は、熱交換部３０を示す部分断面斜視図である。図５に示すように、熱交換部３０は、流通部３１と、第１蓋部３２と、第２蓋部３３と、を有する。
【００３６】
流通部３１は、一方向に延びる管状の複数の配管部３１ａを有する。本実施形態において配管部３１ａが延びる一方向は、例えば、回転軸方向ＤＲと直交する。配管部３１ａは、延びる一方向の両側に開口する。配管部３１ａの延びる一方向と直交する断面形状は、例えば、円形状である。なお、以下の説明においては、配管部３１ａが延びる一方向を「延伸方向ＤＥ」と呼び、適宜図においてＤＥ軸で示す。上述した第１領域Ｆ１と第２領域Ｆ２とは、回転軸方向ＤＲと直交する延伸方向ＤＥにおいて、回転軸Ｒを基準として分けられている。
【００３７】
本実施形態において流通部３１は、複数の配管部３１ａが回転軸方向ＤＲに沿って並べられて構成された層が、回転軸方向ＤＲおよび延伸方向ＤＥの両方と直交する方向に沿って複数積層されて構成されている。なお、以下の説明においては、回転軸方向ＤＲおよび延伸方向ＤＥの両方と直交する方向を「厚さ方向ＤＴ」と呼び、適宜図においてＤＴ軸で示す。本実施形態において、流通部３１の厚さ方向ＤＴの寸法は、例えば、流通部３１の回転軸方向ＤＲの寸法よりも小さく、延伸方向ＤＥと直交する方向の流通部３１の寸法のうちで最も小さい。
【００３８】
第１蓋部３２は、流通部３１における延伸方向ＤＥの一方側（＋ＤＥ側）の端部に接続されている。第１蓋部３２は、回転軸方向ＤＲに長い直方体箱状である。第１蓋部３２の内部には、配管部３１ａの延伸方向ＤＥの一端が開口している。図３に示すように、第１蓋部３２の内部には、仕切部３２ａが設けられている。仕切部３２ａは、第１蓋部３２の内部を回転軸方向ＤＲに並ぶ第１空間Ｓ１と第２空間Ｓ２とに仕切っている。図３において、第１空間Ｓ１は、第２空間Ｓ２の右側（＋ＤＲ側）に位置する。
【００３９】
第１蓋部３２には、第１空間Ｓ１と循環ダクト２６の内部とを繋ぐ連通孔３２ｂが形成されている。第１蓋部３２には、第２空間Ｓ２と循環ダクト２５の内部とを繋ぐ連通孔３２ｃが形成されている。
【００４０】
第２蓋部３３は、流通部３１における延伸方向ＤＥの他方側（−ＤＥ側）の端部、すなわち流通部３１に対して第１蓋部３２が接続された側と逆側の端部に接続されている。図５に示すように、第２蓋部３３は、回転軸方向ＤＲに長い直方体箱状である。第２蓋部３３の内部には、配管部３１ａの延伸方向ＤＥの他端が開口している。第２蓋部３３の内部は、第１蓋部３２と異なり、仕切られていない。第２蓋部３３の内部は、流通部３１の配管部３１ａの内部を介して、第１蓋部３２の内部のうち第１空間Ｓ１および第２空間Ｓ２のそれぞれと繋がっている。第２蓋部３３は、冷媒伝送部５０と接続されている。これにより、熱交換部３０は、冷媒伝送部５０と接続されている。なお、図５においては、第２蓋部３３における延伸方向ＤＥの他方側の壁を省略している。
【００４１】
循環ダクト２６は、図３に示すように、回転軸方向ＤＲにおいて、吸放湿部材４０の一方側（＋ＤＲ側）に配置されたダクトである。循環ダクト２６は、第２領域Ｆ２に位置する吸放湿部材４０の部分に向かって、回転軸方向ＤＲの他方側（−ＤＲ側）に開口する流入口を有する。循環ダクト２６は、第１蓋部３２の連通孔３２ｂと繋がる流出口を有する。
【００４２】
循環ダクト２５は、回転軸方向ＤＲにおいて、吸放湿部材４０の他方側（−ＤＲ側）に配置されたダクトである。循環ダクト２５は、第２領域Ｆ２に位置する吸放湿部材４０の部分に向かって、回転軸方向ＤＲの一方側（＋ＤＲ側）に開口する流出口を有する。循環ダクト２５は、第１蓋部３２の連通孔３２ｃと繋がる流入口を有する。
【００４３】
加熱部２２は、加熱本体部２２ａを有する。加熱本体部２２ａは、循環ダクト２５の内部に配置されている。加熱本体部２２ａは、回転軸方向ＤＲにおいて、第２領域Ｆ２に位置する吸放湿部材４０の部分の他方側（−ＤＲ側）に配置されている。加熱本体部２２ａは、例えば、電気ヒーターである。加熱本体部２２ａは、循環ダクト２５の内部の雰囲気（空気）を加熱する。本実施形態において加熱部２２は、第２送風装置２３を有する。
【００４４】
第２送風装置２３は、循環ダクト２６の内部に配置されている。第２送風装置２３は、回転軸方向ＤＲにおいて、第２領域Ｆ２に位置する吸放湿部材４０の部分の一方側（＋ＤＲ側）に配置されている。第２送風装置２３は、例えば、遠心ファンである。第２送風装置２３は、回転軸方向ＤＲの他方側（−ＤＲ側）から吸気した空気を、排気口２３ａから延伸方向ＤＥの他方側（−ＤＥ側）に放出する。排気口２３ａは、第１蓋部３２の連通孔３２ｂに開口している。第２送風装置２３は、連通孔３２ｂを介して第１空間Ｓ１に空気を送る。
【００４５】
第２送風装置２３から第１空間Ｓ１に放出される空気は、循環ダクト２６の流入口を介して第２送風装置２３の回転軸方向ＤＲの他方側（−ＤＲ側）から吸気した空気であり、第２領域Ｆ２に位置する吸放湿部材４０の部分を通過した空気である。すなわち、第２送風装置２３は、第１領域Ｆ１と異なる第２領域Ｆ２に位置する吸放湿部材４０の部分に空気を通過させて熱交換部３０に送る。本実施形態において第２領域Ｆ２に位置する吸放湿部材４０の部分を通過する前の空気は、循環ダクト２５の内部を流れている。そのため、加熱本体部２２ａは、第２領域Ｆ２に位置する吸放湿部材４０の部分を通過する前の空気を加熱する。
【００４６】
このように、本実施形態において加熱部２２は、加熱本体部２２ａによって加熱された空気を、第２送風装置２３によって第２領域Ｆ２に位置する吸放湿部材４０の部分に送ることで、第２領域Ｆ２に位置する吸放湿部材４０の部分を加熱する。これにより、第２送風装置２３は、吸放湿部材４０における加熱部２２によって加熱された部分の周囲の空気を熱交換部３０に送る。
【００４７】
第２送風装置２３から第１空間Ｓ１を介して熱交換部３０に流入した空気は、複数の配管部３１ａのうち第１空間Ｓ１と繋がる配管部３１ａの内部を通って、第２蓋部３３の内部に流入する。第２蓋部３３の内部に流入した空気は、複数の配管部３１ａのうち第２空間Ｓ２と繋がる配管部３１ａの内部を通って、第２空間Ｓ２に流入し、連通孔３２ｃから循環ダクト２５の内部に流入する。循環ダクト２５の内部に流入した空気は、加熱本体部２２ａによって加熱され、再び第２領域Ｆ２に位置する吸放湿部材４０の部分を通過して循環ダクト２６の内部に流入し第２送風装置２３に吸気される。
【００４８】
以上のように、本実施形態において冷媒生成部２０は、第２送風装置２３から放出された空気が循環する循環経路２７を有する。循環経路２７は、少なくとも循環ダクト２５，２６と熱交換部３０とによって構成されている。循環経路２７は、加熱本体部２２ａと吸放湿部材４０と熱交換部３０とを通る。吸放湿部材４０と循環ダクト２５，２６との間には僅かに隙間が設けられているが、循環経路２７は略密閉されており、循環経路２７の内部に外部からの空気が流入することが抑制される。なお、以下の説明においては、第２送風装置２３から放出され循環経路２７内を循環する空気を空気ＡＲ２と呼ぶ。
【００４９】
冷却ダクト２１は、回転軸方向ＤＲにおいて、第１領域Ｆ１に位置する吸放湿部材４０の部分の一方側（＋ＤＲ側）に配置された流入口を有するダクトである。冷却ダクト２１には、第１送風装置６０から放出され第１領域Ｆ１に位置する吸放湿部材４０の部分を通過した空気ＡＲ１が流入する。冷却ダクト２１は、第１領域Ｆ１に位置する吸放湿部材４０の部分の一方側の領域から熱交換部３０に向かって延びている。
【００５０】
冷却ダクト２１は、回転軸方向ＤＲに延びる冷却通路部２１ａを有する。冷却通路部２１ａには、熱交換部３０の流通部３１が延伸方向ＤＥに貫通して配置されている。これにより、冷却通路部２１ａの内部には、流通部３１が配置されている。冷却通路部２１ａを通る空気ＡＲ１は、流通部３１の外表面に吹き付けられ、流通部３１を回転軸方向ＤＲに通過する。これにより、流通部３１は、空気ＡＲ１によって冷却される。すなわち、熱交換部３０は、第１送風装置６０から放出され、吸放湿部材４０を通過した空気ＡＲ１によって冷却される。図３では、冷却通路部２１ａにおいて空気ＡＲ１は、右側から左側に流通部３１を通過している。冷却通路部２１ａにおける回転軸方向ＤＲの他方側（−ＤＲ側）の端部は、開口している。冷却通路部２１ａの開口は、例えば、冷却ダクト２１の流出口である。
【００５１】
第１領域Ｆ１に位置する吸放湿部材４０の部分に第１送風装置６０から空気ＡＲ１が送られると、空気ＡＲ１に含まれる水蒸気が、第１領域Ｆ１に位置する吸放湿部材４０の部分に吸湿される。水蒸気を吸湿した吸放湿部材４０の部分は、モーター２４によって吸放湿部材４０が回転させられることで、第１領域Ｆ１から第２領域Ｆ２に移動する。そして、第２領域Ｆ２に位置する吸放湿部材４０の部分には、加熱本体部２２ａによって加熱された比較的温度の高い空気ＡＲ２が通る。これにより、吸放湿部材４０に吸湿された水分が、気化して空気ＡＲ２に放湿される。
【００５２】
吸放湿部材４０を通過することで空気ＡＲ１から吸湿した水蒸気を含んだ空気ＡＲ２は、第２送風装置２３によって熱交換部３０へと送られる。第１空間Ｓ１から熱交換部３０へと流入した空気ＡＲ２は、流通部３１の内部を流れる。より詳細には、空気ＡＲ２は、流通部３１の配管部３１ａの内部を流れる。流通部３１は、冷却ダクト２１の冷却通路部２１ａを回転軸方向ＤＲに沿って流れる空気ＡＲ１によって外部から冷却される。
【００５３】
流通部３１が冷却されると、配管部３１ａの内部を流れる比較的温度の高い空気ＡＲ２が冷却されて、空気ＡＲ２に含まれていた水蒸気が凝縮して液体の水、すなわち冷媒Ｗになる。このようにして、熱交換部３０は、冷却されることで熱交換部３０に流入した空気ＡＲ２から冷媒Ｗを生成する。
【００５４】
本実施形態において冷媒伝送部５０は、多孔質部材製であり、毛細管現象によって冷媒Ｗを伝送する。冷媒伝送部５０の材質としては、例えば、ポリプロピレン、コットン、ポーラス金属等が挙げられる。冷媒伝送部５０の材質は、冷媒伝送部５０の表面張力を比較的大きくできる材質が好ましい。冷媒伝送部５０は、図５に示すように、第１捕捉部５１と、第２捕捉部５２と、第３捕捉部５３と、接続部５４と、を有する。
【００５５】
第１捕捉部５１は、第１蓋部３２の内側面のうち延伸方向ＤＥの一方側（＋ＤＥ側）の縁部に固定されている。第１捕捉部５１は、薄い帯状であり、第１蓋部３２の縁部に沿って矩形枠状に成形されている。第２捕捉部５２は、第２蓋部３３の内側面のうち延伸方向ＤＥの他方側（−ＤＥ側）の縁部に固定されている。第２捕捉部５２は、薄い帯状であり、第２蓋部３３の縁部に沿って矩形枠状に成形されている。
【００５６】
第３捕捉部５３は、第１捕捉部５１から配管部３１ａの内部を通って第２捕捉部５２まで延びており、第１捕捉部５１と第２捕捉部５２とを接続している。第３捕捉部５３は、延伸方向ＤＥに延びた薄い帯状である。本実施形態において、第３捕捉部５３は、図５に示すように、複数の配管部３１ａのうち１つの配管部３１ａの内部に配置されているが、これに限らない。第３捕捉部５３は、複数の配管部３１ａのうち一部の配管部３１ａの内部に設けられていてもよいし、複数の配管部３１ａのうち全ての配管部３１ａの内部に設けられていてもよい。複数の配管部３１ａのうち一部の配管部３１ａの内部に設けられる場合、第３捕捉部５３は、２つ以上の配管部３１ａの内部に設けられてもよい。
【００５７】
接続部５４は、冷媒生成部２０と冷却対象とを接続する部分である。本実施形態において接続部５４は、第２捕捉部５２に接続され、第２蓋部３３の内部から第２蓋部３３の外部に第２蓋部３３の壁を貫通して突出している。図６に示すように、第２蓋部３３の外部に突出した接続部５４は、冷却対象である光変調ユニット４Ｇまで延びている。図６は、光変調ユニット４Ｒ，４Ｇ，４Ｂと光合成光学系５とを示す斜視図である。接続部５４は、薄い帯状である。接続部５４の幅は、例えば、第１捕捉部５１の幅、第２捕捉部５２の幅、および第３捕捉部５３の幅よりも大きい。
【００５８】
次に、本実施形態における冷却対象である光変調ユニット４Ｒ，４Ｇ，４Ｂについて、より詳細に説明する。以下の説明においては、正の側を上側とし、負の側を下側とする上下方向Ｚを、適宜図においてＺ軸で示す。投射光学装置６における最も光射出側の投射レンズの光軸ＡＸと平行な方向、すなわち投射光学装置６の投射方向と平行な方向を「光軸方向Ｘ」と呼び、適宜図においてＸ軸で示す。光軸方向Ｘは、上下方向Ｚと直交する。また、光軸方向Ｘおよび上下方向Ｚの両方と直交する方向を「幅方向Ｙ」と呼び、適宜図においてＹ軸で示す。
【００５９】
なお、上下方向Ｚ、上側および下側とは、単に各部の相対位置関係を説明するための名称であり、実際の配置関係等は、これらの名称で示される配置関係等以外の配置関係等であってもよい。
【００６０】
図７は、光変調ユニット４Ｇを光入射側から視た図である。図８は、光変調ユニット４Ｇを示す図であって、図７におけるＶＩＩＩ−ＶＩＩＩ断面図である。
冷却対象である光変調ユニット４Ｒと光変調ユニット４Ｇと光変調ユニット４Ｂとは、図６に示すように、光合成光学系５の周りを囲んで配置されている。光変調ユニット４Ｒと光変調ユニット４Ｂとは、光合成光学系５を幅方向Ｙに挟んで互いに反対側に配置されている。光変調ユニット４Ｇは、光合成光学系５の光軸方向Ｘの光入射側（−Ｘ側）に配置されている。光変調ユニット４Ｒの構造と光変調ユニット４Ｇの構造と光変調ユニット４Ｂの構造とは、配置される位置および姿勢が異なる点を除いて同様であるため、以下の説明においては、代表して光変調ユニット４Ｇについてのみ説明する場合がある。
【００６１】
光変調ユニット４Ｇは、光変調装置４ＧＰを保持する保持フレーム８０を有する。保持フレーム８０は、図６から図８に示すように、光変調装置４ＧＰに光が入射する方向に扁平で上下方向Ｚに長い略直方体状である。光変調装置４ＧＰの光が入射する方向は、例えば、光軸方向Ｘである。
【００６２】
保持フレーム８０は、図８に示すように、保持フレーム８０を光が入射する方向に貫通する貫通孔８１を有する。貫通孔８１の光入射側（−Ｘ側）の縁には、貫通孔８１の幅が広くなる段差部８３が設けられている。光変調装置４ＧＰは、段差部８３に嵌められて保持フレーム８０に保持されている。図７に示すように、保持フレーム８０の光入射側の面における上下方向Ｚの両側の部分には、挿入溝８２ａ，８２ｂが形成されている。
【００６３】
プロジェクター１は、図６から図８に示すように、冷却対象である光変調ユニット４Ｇに設けられた冷却促進部７０をさらに備える。冷却促進部７０は、冷媒保持部７１と、固定部材７２と、を有する。冷媒保持部７１は、冷却対象である光変調ユニット４Ｇの保持フレーム８０の面に取り付けられている。本実施形態では、冷媒保持部７１は、保持フレーム８０における光変調装置４ＧＰの光入射側（−Ｘ側）の面に設けられている。冷媒保持部７１は、冷媒Ｗを保持する多孔質部材製である。冷媒保持部７１の材質としては、例えば、ポリプロピレン、コットン、ポーラス金属等が挙げられる。冷媒保持部７１の材質は、例えば、冷媒伝送部５０の材質と同じにできる。冷媒保持部７１の材質は、冷媒保持部７１の表面張力を比較的大きくできる材質が好ましい。
【００６４】
図９は、冷媒保持部７１を示す図である。冷媒保持部７１は、図９に示すように、矩形枠状の本体部７１ａと、本体部７１ａにおける上下方向Ｚの両側の端部に設けられた挿入部７１ｂ，７１ｃと、を有する。本体部７１ａは、図８に示すように、保持フレーム８０における光変調装置４ＧＰの光入射側（−Ｘ側）の面の一部を覆っている。本体部７１ａにおける内縁側の部分は、光変調装置４ＧＰの外縁部分を覆っている。挿入部７１ｂは、折り曲げられて保持フレーム８０の挿入溝８２ａに挿入されている。挿入部７１ｃは、折り曲げられて保持フレーム８０の挿入溝８２ｂに挿入されている。
【００６５】
固定部材７２は、冷媒保持部７１を固定する部材である。固定部材７２は、図６および図８に示すように、板状の部材である。固定部材７２は、例えば、金属製である。固定部材７２は、矩形枠状の枠部７２ａと、取付部７２ｂと、挿入部７２ｃと、を有する。枠部７２ａは、図７および図８に示すように、冷媒保持部７１の外縁部を覆っている。保持フレーム８０と冷媒保持部７１と枠部７２ａとは、光変調ユニット４Ｇを通過する光の方向（光軸方向Ｘ）に重ねられている。以下の説明においては、保持フレーム８０と冷媒保持部７１と枠部７２ａとが重ねられた方向を単に「重ね方向」と呼ぶ。固定部材７２は、枠部７２ａによって、保持フレーム８０との間で冷媒保持部７１を重ね方向（光軸方向Ｘ）に挟んで固定している。
【００６６】
枠部７２ａの内縁は、冷媒保持部７１の内縁よりも外側に設けられている。そのため、冷媒保持部７１の一部、すなわち本実施形態では枠部７２ａよりも内側の部分は、重ね方向の固定部材７２側から視て、露出している。
【００６７】
取付部７２ｂは、図６および図８に示すように、枠部７２ａの上下方向Ｚの両端部における幅方向Ｙの両端部にそれぞれ設けられている。取付部７２ｂは、枠部７２ａから保持フレーム８０側（＋Ｘ側）に突出している。取付部７２ｂは、保持フレーム８０の側面に設けられた突起に係合されている。これにより、固定部材７２は、保持フレーム８０に固定されている。
【００６８】
挿入部７２ｃは、枠部７２ａの上下方向Ｚの両端部に設けられている。挿入部７２ｃは、枠部７２ａから保持フレーム８０側（＋Ｘ側）に突出している。挿入部７２ｃは、保持フレーム８０の挿入溝８２ａ，８２ｂに挿入されている。挿入部７２ｃは、挿入溝８２ａ，８２ｂの内部において、冷媒保持部７１の挿入部７１ｂ，７１ｃを押さえている。
【００６９】
冷却促進部７０は、複数の光変調ユニット４Ｒ，４Ｇ，４Ｂのそれぞれに設けられている。すなわち、冷媒保持部７１と固定部材７２とは、複数の光変調ユニット４Ｒ，４Ｇ，４Ｂのそれぞれに設けられている。図９に示すように、各光変調ユニット４Ｒ，４Ｇ，４Ｂのうち、光変調ユニット４Ｇに設けられた冷媒保持部７１Ｇは、冷媒伝送部５０と接続されている。より詳細には、冷媒保持部７１Ｇの下端部には、冷媒伝送部５０の接続部５４が接続されている。
【００７０】
光変調ユニット４Ｂに取り付けられた冷媒保持部７１Ｂおよび光変調ユニット４Ｒに取り付けられた冷媒保持部７１Ｒは、接続部５４が接続されていない点を除いて、光変調ユニット４Ｇに取り付けられた冷媒保持部７１Ｇと同様である。
【００７１】
本実施形態においては、光変調ユニット４Ｇに取り付けられた冷媒保持部７１Ｇの両側に、光変調ユニット４Ｂに取り付けられた冷媒保持部７１Ｂと、光変調ユニット４Ｒに取り付けられた冷媒保持部７１Ｒと、をそれぞれ連結する連結部７３ａ，７３ｂが設けられている。連結部７３ａ，７３ｂは、多孔質部材製である。
【００７２】
連結部７３ａは、光変調ユニット４Ｇに取り付けられた冷媒保持部７１Ｇと光変調ユニット４Ｂに取り付けられた冷媒保持部７１Ｂとを連結している。これにより、冷媒保持部７１Ｂは、冷媒保持部７１Ｇを介して冷媒伝送部５０の接続部５４と接続されている。図６に示すように、連結部７３ａには、連結部７３ａを覆う被覆部７４が設けられている。被覆部７４は、例えば、樹脂製のフィルム等である。
【００７３】
連結部７３ｂは、光変調ユニット４Ｇに取り付けられた冷媒保持部７１と光変調ユニット４Ｒに取り付けられた冷媒保持部７１とを連結している。これにより、冷媒保持部７１Ｒは、冷媒保持部７１Ｇを介して冷媒伝送部５０の接続部５４と接続されている。図示は省略するが、連結部７３ｂにも、連結部７３ａと同様に被覆部７４が設けられている。
【００７４】
冷媒生成部２０によって生成された冷媒Ｗは、冷媒伝送部５０の接続部５４によって、冷媒保持部７１Ｇに伝送される。冷媒保持部７１Ｇに伝送された冷媒Ｗは、連結部７３ａを介して冷媒保持部７１Ｂに伝送され、かつ、連結部７３ｂを介して冷媒保持部７１Ｒに伝送される。このようにして、冷媒生成部２０で生成された冷媒Ｗが、３つの光変調ユニット４Ｒ，４Ｇ，４Ｂに伝送される。そして、伝送され冷媒保持部７１に保持された冷媒Ｗが気化することで、冷却対象である光変調ユニット４Ｒ，４Ｇ，４Ｂが冷却される。より詳細には、冷媒保持部７１に保持された冷媒Ｗが気化することで、冷媒保持部７１が取り付けられた保持フレーム８０が冷却され、保持フレーム８０が冷却されることで、保持フレーム８０が保持する光変調装置４ＲＰ，４ＧＰ，４ＢＰが冷却される。これにより、冷却装置１０によって、冷却対象である光変調装置４ＲＰ，４ＧＰ，４ＢＰを冷却できる。
【００７５】
プロジェクター１は、図２に示すように、冷却対象の温度を計測可能な温度センサー９１と、冷却装置１０を制御する制御装置９０と、をさらに備える。本実施形態において温度センサー９１は、冷却対象である光変調ユニット４Ｒ，４Ｇ，４Ｂのそれぞれに設けられている。各温度センサー９１は、冷却対象である各光変調ユニット４Ｒ，４Ｇ，４Ｂの温度をそれぞれ計測可能である。より詳細には、各温度センサー９１は、各光変調装置４ＲＰ，４ＧＰ，４ＢＰの温度を計測可能である。各温度センサー９１の計測結果は、制御装置９０に送られる。
【００７６】
本実施形態において制御装置９０は、冷却対象の温度に基づいて、冷媒生成部２０を制御する。制御装置９０は、各温度センサー９１から得られた光変調装置４ＲＰ，４ＧＰ，４ＢＰの温度に基づいて、第１送風装置６０の出力、加熱部２２の出力、および熱交換部３０の冷却度合いのうち少なくとも１つを制御する。本実施形態において制御装置９０は、光変調装置４ＲＰ，４ＧＰ，４ＢＰの温度に基づいて、第１送風装置６０の出力、加熱部２２の出力、および熱交換部３０の冷却度合いのうち全てを制御する。
【００７７】
制御装置９０は、第１送風装置６０に印加される電圧を調整することで、第１送風装置６０の出力および熱交換部３０の冷却度合いを制御する。第１送風装置６０に印加される電圧が大きくなると、第１送風装置６０の出力が大きくなり、第１送風装置６０から送られる空気ＡＲ１の量が多くなる。そのため、吸放湿部材４０に送られる空気ＡＲ１の量が多くなり、空気ＡＲ１から吸放湿部材４０に吸湿される水蒸気の量を多くできる。これにより、吸放湿部材４０から空気ＡＲ２に放湿される水蒸気の量を多くでき、熱交換部３０において凝縮される水蒸気の量を多くできる。したがって、冷媒生成部２０における冷媒Ｗの生成量を増加させることができる。
【００７８】
また、第１送風装置６０に印加される電圧が大きくなると、第１送風装置６０から冷却ダクト２１を介して流通部３１に吹き付けられる空気ＡＲ１の量が多くなる。これにより、熱交換部３０の冷却度合いを大きくでき、熱交換部３０をより冷却できる。したがって、流通部３１の内部に送られた空気ＡＲ２に含まれている水蒸気をより凝縮させることができ、冷媒生成部２０における冷媒Ｗの生成量を増加させることができる。
【００７９】
一方、第１送風装置６０に印加される電圧が小さくなると、第１送風装置６０の出力が小さくなり、第１送風装置６０から吸放湿部材４０および流通部３１に送られる空気ＡＲ１の量が少なくなる。これにより、吸放湿部材４０に吸湿される水蒸気の量が少なくなり、かつ、熱交換部３０の冷却度合いが小さくなる。したがって、熱交換部３０において凝縮される水蒸気の量を少なくでき、冷媒生成部２０における冷媒Ｗの生成量を減少させることができる。
【００８０】
制御装置９０は、加熱本体部２２ａに印加される電圧を調整することで、加熱部２２の出力を調整する。加熱本体部２２ａに印加される電圧が大きくなると、加熱部２２の出力が大きくなり、加熱部２２によって吸放湿部材４０をより加熱しやすい。そのため、吸放湿部材４０から空気ＡＲ２に放湿される水蒸気の量を多くできる。これにより、熱交換部３０において、空気ＡＲ２からより多くの水蒸気を凝縮させることができる。したがって、冷媒生成部２０における冷媒Ｗの生成量を増加させることができる。一方、加熱本体部２２ａに印加される電圧が小さくなると、加熱部２２の出力が小さくなり、吸放湿部材４０から空気ＡＲ２に放湿される水蒸気の量が少なくなる。そのため、熱交換部３０において凝縮される水蒸気の量を少なくでき、冷媒生成部２０における冷媒Ｗの生成量を減少させることができる。
【００８１】
図１０は、本実施形態の制御装置９０の制御手順の一例を示すフローチャートである。本実施形態において制御装置９０は、図１０に示す手順に沿って、冷却対象の温度を目標温度範囲内に維持することを目標として、冷却装置１０による冷却対象の冷却を行う。目標温度範囲は、例えば、予め設定された温度範囲である。目標温度範囲は、例えば、プロジェクター１の動作時において冷却対象の動作および状態を好適に保つことができる冷却対象の温度範囲である。本実施形態のように冷却対象が光変調装置４ＲＰ，４ＧＰ，４ＢＰである場合、目標温度範囲は、例えば、４０℃以上、６０℃以下である。
【００８２】
図１０に示すように、制御装置９０は、プロジェクター１が起動した（ステップＳｔ１１）後、冷却対象の温度が目標温度範囲内か否かを判断する（ステップＳｔ１２）。本実施形態において制御装置９０は、温度センサー９１の計測結果から光変調装置４ＲＰ，４ＧＰ，４ＢＰの温度が目標温度範囲内か否かを判断する。冷却対象の温度が目標温度範囲内である場合（ステップＳｔ１２：ＹＥＳ）、制御装置９０は、冷媒生成部２０の出力を現在の出力のまま維持する（ステップＳｔ１３）。すなわち、制御装置９０は、第１送風装置６０の出力、加熱部２２の出力、および熱交換部３０の冷却度合いを変更せず、現在の状態に維持したままにする。
【００８３】
一方、冷却対象の温度が目標温度範囲外である場合（ステップＳｔ１２：ＮＯ）、制御装置９０は、冷却対象の温度が目標温度範囲よりも高いか否かを判断する（ステップＳｔ１４）。本実施形態において制御装置９０は、温度センサー９１の計測結果から光変調装置４ＲＰ，４ＧＰ，４ＢＰの温度が目標温度範囲よりも高いか否かを判断する。
【００８４】
なお、本実施形態において制御装置９０は、３つの光変調装置４ＲＰ，４ＧＰ，４ＢＰのうち少なくとも１つの光変調装置において温度が目標温度範囲外であれば、他の光変調装置において温度が目標温度範囲内であっても、冷却対象の温度が目標温度範囲外であると判断する。
【００８５】
冷却対象の温度が目標温度範囲よりも高い場合（ステップＳｔ１４：ＹＥＳ）、制御装置９０は、冷媒生成部２０の出力を大きくする（ステップＳｔ１５）。すなわち、制御装置９０は、第１送風装置６０の出力、加熱部２２の出力、および熱交換部３０の冷却度合いを大きくする。具体的に制御装置９０は、第１送風装置６０に印加される電圧および加熱本体部２２ａに印加される電圧を大きくする。
【００８６】
冷媒生成部２０の出力を大きくする度合いは、例えば、所定の値に予め決められていてもよいし、冷却対象の温度と目標温度範囲の上限値との差に応じて決められてもよい。冷却対象の温度と目標温度範囲の上限値との差に応じて冷媒生成部２０の出力を大きくする度合いを決める場合、制御装置９０は、例えば、冷却対象の温度と目標温度範囲の上限値との差が大きいほど、冷媒生成部２０の出力を大きくする度合いを大きくしてもよい。
【００８７】
本実施形態において冷媒生成部２０の出力を大きくする度合いとは、第１送風装置６０に印加される電圧および加熱本体部２２ａに印加される電圧を大きくする幅である。第１送風装置６０に印加される電圧を大きくする幅と加熱本体部２２ａに印加される電圧を大きくする幅とは、互いに同じであってもよいし、互いに異なっていてもよい。
【００８８】
一方、冷却対象の温度が目標温度範囲よりも低い場合（ステップＳｔ１４：ＮＯ）、制御装置９０は、冷媒生成部２０の出力を小さくする（ステップＳｔ１６）。すなわち、制御装置９０は、第１送風装置６０の出力、加熱部２２の出力、および熱交換部３０の冷却度合いを小さくする。具体的に制御装置９０は、第１送風装置６０に印加される電圧および加熱本体部２２ａに印加される電圧を小さくする。
【００８９】
冷媒生成部２０の出力を小さくする度合いは、例えば、所定の値に予め決められていてもよいし、冷却対象の温度と目標温度範囲の下限値との差に応じて決められてもよい。冷却対象の温度と目標温度範囲の下限値との差に応じて冷媒生成部２０の出力を小さくする度合いを決める場合、制御装置９０は、例えば、冷却対象の温度と目標温度範囲の下限値との差が大きいほど、冷媒生成部２０の出力を小さくする度合いを大きくしてもよい。
【００９０】
本実施形態において冷媒生成部２０の出力を小さくする度合いとは、第１送風装置６０に印加される電圧および加熱本体部２２ａに印加される電圧を小さくする幅である。第１送風装置６０に印加される電圧を小さくする幅と加熱本体部２２ａに印加される電圧を小さくする幅とは、互いに同じであってもよいし、互いに異なっていてもよい。
【００９１】
ステップＳｔ１５において冷媒生成部２０の出力を大きくする度合いと、ステップＳｔ１６において各部の出力を小さくする度合いとは、互いに同じであってもよいし、互いに異なっていてもよい。すなわち、ステップＳｔ１５における第１送風装置６０に印加される電圧の上昇幅の絶対値と、ステップＳｔ１６における第１送風装置６０に印加される電圧の下降幅の絶対値とは、互いに同じであってもよいし、互いに異なっていてもよい。ステップＳｔ１５における加熱本体部２２ａに印加される電圧の上昇幅の絶対値と、ステップＳｔ１６における加熱本体部２２ａに印加される電圧の下降幅の絶対値とは、互いに同じであってもよいし、互いに異なっていてもよい。
【００９２】
以上より、制御装置９０は、冷却対象である各光変調ユニット４Ｒ，４Ｇ，４Ｂの温度が目標温度範囲外である場合、第１送風装置６０の出力、加熱部２２の出力、および熱交換部３０の冷却度合いのうち少なくとも１つを変更する。本実施形態において制御装置９０は、冷却対象の温度が目標温度範囲外である場合、第１送風装置６０の出力、加熱部２２の出力、および熱交換部３０の冷却度合いのうち全てを変更する。さらに、制御装置９０は、冷却対象の温度が目標温度範囲よりも高い場合、第１送風装置６０の出力、加熱部２２の出力、および熱交換部３０の冷却度合いのうち少なくとも１つを大きくし、また、冷却対象の温度が目標温度範囲よりも低い場合、第１送風装置６０の出力、加熱部２２の出力、および熱交換部３０の冷却度合いのうち少なくとも１つを小さくする。
【００９３】
本実施形態において制御装置９０は、プロジェクター１の動作中において、上述したステップＳｔ１２〜ステップＳｔ１６における制御を所定時間ごとに繰り返して実行する。所定時間は、例えば、数秒程度である。
【００９４】
本実施形態によれば、冷却装置１０は、冷媒生成部２０で生成した冷媒Ｗを冷媒伝送部５０によって冷却対象へと伝送し、吸熱反応である冷媒Ｗの気化を利用することで冷却対象から熱を奪って冷却対象を冷却することができる。冷媒Ｗの気化による冷却は、積極的に冷却対象から熱を奪えるため、空冷および液冷のように単に冷媒への伝熱によって冷却対象を冷却する場合に比べて、冷却性能に優れている。これにより、空冷および液冷と同じ冷却性能を得る場合に、空冷および液冷に比べて冷却装置１０全体を小型化しやすい。
【００９５】
また、冷媒Ｗの気化による冷却の場合、気化する冷媒Ｗが冷却対象と接触する表面積を大きくすることで冷却性能を向上できる。そのため、冷却装置１０による冷却性能を大きくしても、騒音が大きくなることを抑制できる。以上により、本実施形態によれば、冷却性能に優れ、かつ、小型で静粛性に優れた冷却装置１０を備えたプロジェクター１が得られる。
【００９６】
また、本実施形態によれば、冷媒生成部２０において冷媒Ｗを生成できるため、使用者が冷媒Ｗを補充する手間がなく、使用者の利便性を向上できる。また、冷媒生成部２０によって、冷媒Ｗを必要なときに必要な分だけ生成することが調整可能であるため、貯蔵タンク等に冷媒Ｗを溜めておかなくてもよく、プロジェクター１の重量を軽くできる。
【００９７】
また、本実施形態によれば、吸放湿部材４０によって第１送風装置６０から送られる空気ＡＲ１に含まれた水蒸気を吸湿でき、吸放湿部材４０によって吸湿した水分を第２送風装置２３によって送られる空気ＡＲ２内に水蒸気として放湿できる。そして、熱交換部３０によって、空気ＡＲ２に水蒸気として放湿された水分を凝縮させて冷媒Ｗを生成することができる。これにより、本実施形態によれば、プロジェクター１内の雰囲気中から冷媒Ｗを生成することができる。
【００９８】
また、本実施形態によれば、熱交換部３０は、第１送風装置６０から放出され、吸放湿部材４０を通過した空気ＡＲ１によって冷却される。そのため、熱交換部３０を冷却する冷却部を別途設ける必要がなく、プロジェクター１の部品点数が増加することを抑制できる。また、熱交換部３０を冷却する冷却部として送風装置を別途設けるような場合に比べて、プロジェクター１から生じる騒音が大きくなることを抑制できる。
【００９９】
また、本実施形態によれば、第１送風装置６０は、冷却対象である光変調ユニット４Ｒ，４Ｇ，４Ｂに空気ＡＲ１を送る冷却送風装置である。そのため、空気ＡＲ１によって光変調ユニット４Ｒ，４Ｇ，４Ｂに伝送された冷媒Ｗを気化させやすく、光変調ユニット４Ｒ，４Ｇ，４Ｂをより冷却することができる。また、冷却対象を冷却する冷却送風装置を、第１送風装置６０の他に別途設ける必要がないため、プロジェクター１の部品点数が増加することを抑制でき、騒音が大きくなることを抑制できる。
【０１００】
また、上述したように、本実施形態では、プロジェクター１の内部に外部の空気を取り込む吸気ファンである第１送風装置６０を利用して、冷却対象に送られた冷媒Ｗの気化を促進させる。そのため、第１送風装置６０の出力を低くしても、冷却装置１０が設けられていないときと同等の冷却性能を得ることが可能である。したがって、吸気ファンである第１送風装置６０の出力を低くして、第１送風装置６０から生じる騒音を低減することができ、プロジェクター１の静粛性をより向上できる。
【０１０１】
また、例えば、冷媒生成部２０において、第２送風装置２３から熱交換部３０に送られる空気ＡＲ２の湿度が比較的低い場合、熱交換部３０が冷却されても、冷媒Ｗが生成されにくい場合がある。熱交換部３０に送られる空気ＡＲ２の湿度は、例えば、プロジェクター１の外部の空気等が混ざり込むような場合に、低下する場合がある。
【０１０２】
これに対して、本実施形態によれば、冷媒生成部２０は、第２送風装置２３から放出された空気ＡＲ２が循環する循環経路２７を有する。そのため、循環経路２７を略密閉することで循環経路２７内にプロジェクター１の外部の空気が入ることを抑制でき、熱交換部３０に送られる空気ＡＲ２の湿度を比較的高い状態に維持しやすい。したがって、熱交換部３０を冷却することで、好適に冷媒Ｗを生成することができる。
【０１０３】
また、本実施形態によれば、加熱部２２は、第２領域Ｆ２に位置する吸放湿部材４０の部分を通過する前の空気を加熱する加熱本体部２２ａと、第２送風装置２３と、を有する。そのため、加熱部２２は、第２送風装置２３によって吸放湿部材４０に空気ＡＲ２を送ることで、第２領域Ｆ２に位置する吸放湿部材４０の部分を加熱することができる。これにより、加熱本体部２２ａを吸放湿部材４０から離れた位置に配置しても、加熱部２２によって吸放湿部材４０を加熱することができる。したがって、加熱部２２の構成の自由度を向上させることができる。
【０１０４】
また、例えば、冷却対象の温度が目標温度範囲外になる場合、冷却対象に不具合が生じる虞がある。例えば、本実施形態のように冷却対象が光変調装置４ＲＰ，４ＧＰ，４ＢＰである場合、光変調装置４ＲＰ，４ＧＰ，４ＢＰの温度が目標温度範囲よりも高いと、熱によって光変調装置４ＲＰ，４ＧＰ，４ＢＰが損傷する虞がある。また、光変調装置４ＲＰ，４ＧＰ，４ＢＰの温度が目標温度範囲よりも低いと、光変調装置４ＲＰ，４ＧＰ，４ＢＰの液晶パネルの応答性が低下し、プロジェクター１から射出されるカラー画像（映像）にブレおよびチラつき等が生じる虞がある。したがって、プロジェクター１の信頼性が低下する虞がある。
【０１０５】
これに対して、本実施形態によれば、制御装置９０は、冷却対象の温度に基づいて、冷媒生成部２０を制御する。そのため、冷却対象の温度に基づいて冷媒生成部２０において生成される冷媒Ｗの量を調整することができ、冷媒Ｗによって冷却される冷却対象の温度を調整することができる。これにより、冷却対象の温度を目標温度範囲内に維持しやすい。したがって、冷却対象に不具合が生じることを抑制でき、プロジェクター１の信頼性が低下することを抑制できる。
【０１０６】
また、本実施形態によれば、制御装置９０は、冷却対象の温度に基づいて、第１送風装置６０の出力、加熱部２２の出力、および熱交換部３０の冷却度合いのうち少なくとも１つを制御する。そのため、制御装置９０は、吸放湿部材４０に吸湿される水蒸気の量、吸放湿部材４０から空気ＡＲ２に放湿される水蒸気の量、および熱交換部３０において凝縮される水蒸気の量の少なくとも１つを調整できる。これにより、冷媒生成部２０の各部の出力等を調整することで、冷媒生成部２０において生成される冷媒Ｗの量を容易に調整できる。したがって、冷却対象の温度をより目標温度範囲内に維持しやすく、プロジェクター１の信頼性が低下することをより抑制できる。
【０１０７】
また、本実施形態によれば、制御装置９０は、冷却対象の温度が目標温度範囲外である場合、第１送風装置６０の出力、加熱部２２の出力、および熱交換部３０の冷却度合いのうち少なくとも１つを変更する。そのため、冷却対象の温度が目標温度範囲外になった場合に、冷却対象の温度が目標温度範囲内となるように冷媒Ｗの生成量を調整できる。したがって、冷却対象の温度をより目標温度範囲内に維持しやすく、プロジェクター１の信頼性が低下することをより抑制できる。
【０１０８】
より詳細には、本実施形態では、制御装置９０は、冷却対象の温度が目標温度範囲よりも高い場合、第１送風装置６０の出力、加熱部２２の出力、および熱交換部３０の冷却度合いのうち少なくとも１つを大きくする。そのため、冷却対象の温度が目標温度範囲よりも高くなった場合に、冷媒Ｗの生成量を増加させることができ、冷却対象の冷却度合いを大きくすることができる。これにより、冷却対象の温度を低下させることができ、冷却対象の温度を目標温度範囲内にすることができる。
【０１０９】
また、本実施形態では、制御装置９０は、冷却対象の温度が目標温度範囲よりも低い場合、第１送風装置６０の出力、加熱部２２の出力、および熱交換部３０の冷却度合いのうち少なくとも１つを小さくする。そのため、冷却対象の温度が目標温度範囲よりも低くなった場合に、冷媒Ｗの生成量を減少させることができ、冷却対象の冷却度合いを小さくすることができる。これにより、冷却対象の温度を上昇させることができ、冷却対象の温度を目標温度範囲内にすることができる。
【０１１０】
また、本実施形態によれば、制御装置９０は、冷却対象の温度に基づいて、第１送風装置６０の出力、加熱部２２の出力、および熱交換部３０の冷却度合いの全てを制御する。そのため、冷媒生成部２０において生成される冷媒Ｗの量をより容易に調整できる。これにより、冷却対象の温度をより容易に調整でき、冷却対象の温度をより好適に目標温度範囲内に維持しやすい。したがって、プロジェクター１の信頼性が低下することをより抑制できる。
【０１１１】
また、本実施形態によれば、冷却対象は、光変調装置４ＲＰ，４ＧＰ，４ＢＰである。そのため、光変調装置４ＲＰ，４ＧＰ，４ＢＰの温度に基づいて、冷媒生成部２０を制御することで、光変調装置４ＲＰ，４ＧＰ，４ＢＰの温度を目標温度範囲内に維持しやすい。これにより、プロジェクター１から射出されるカラー画像（映像）にブレおよびチラつきが生じることを抑制できる。
【０１１２】
また、本実施形態によれば、冷媒生成部２０は、吸放湿部材４０を回転させるモーター２４を有する。そのため、吸放湿部材４０を一定の速度で安定して回転させることができる。これにより、第１領域Ｆ１に位置する吸放湿部材４０の部分に空気ＡＲ１から好適に水蒸気を吸湿させることができ、かつ、第２領域Ｆ２に位置する吸放湿部材４０の部分から空気ＡＲ２へと好適に水分を放湿させることができる。したがって、効率的に冷媒Ｗを生成できる。
【０１１３】
また、本実施形態によれば、冷媒伝送部５０は、毛細管現象によって冷媒Ｗを伝送する。そのため、冷媒Ｗを伝送するためにポンプ等の動力を別途用意する必要がない。これにより、プロジェクター１の部品点数が増加することを抑制でき、プロジェクター１をより小型・軽量化しやすい。
【０１１４】
また、本実施形態によれば、冷媒伝送部５０は、冷媒生成部２０と冷却対象とを接続する多孔質部材製の接続部５４を有する。そのため、冷媒Ｗを接続部５４に吸収させて毛細管現象によって伝送することができる。
【０１１５】
また、本実施形態によれば、冷媒伝送部５０は、第２蓋部３３の内部に設けられた第２捕捉部５２を有する。第２捕捉部５２は、接続部５４と接続されている。そのため、第２蓋部３３の内部に溜まった冷媒Ｗを第２捕捉部５２で吸収して毛細管現象によって接続部５４に伝送することができる。これにより、生成した冷媒Ｗを無駄なく冷却対象へと送りやすい。
【０１１６】
また、本実施形態によれば、冷媒伝送部５０は、第１蓋部３２の内部に設けられた第１捕捉部５１と、第１捕捉部５１と第２捕捉部５２とを接続する第３捕捉部５３と、を有する。これにより、第１蓋部３２の内部に溜まった冷媒Ｗを第１捕捉部５１で吸収して、毛細管現象によって第３捕捉部５３を介して第２捕捉部５２に伝送することができる。したがって、第１蓋部３２の内部に溜まった冷媒Ｗを第２捕捉部５２から接続部５４に伝送して、冷却対象に伝送することができる。そのため、生成した冷媒Ｗをより無駄なく冷却対象へと送りやすい。
【０１１７】
また、本実施形態によれば、第３捕捉部５３は、配管部３１ａの内部を通る。そのため、配管部３１ａの内部に溜まった冷媒Ｗを第３捕捉部５３で吸収して、第２捕捉部５２および接続部５４を介して冷却対象へと伝送することができる。したがって、生成した冷媒Ｗをより無駄なく冷却対象へと送りやすい。
【０１１８】
また、本実施形態によれば、接続部５４の幅は、例えば、第１捕捉部５１の幅、第２捕捉部５２の幅、および第３捕捉部５３の幅よりも大きい。そのため、接続部５４の幅を比較的大きくしやすく、接続部５４によって伝送できる冷媒Ｗの量を多くできる。したがって、冷媒伝送部５０によって冷媒Ｗを冷却対象に送りやすく、冷却対象をより冷却しやすい。
【０１１９】
また、一方で、第１捕捉部５１の幅、第２捕捉部５２の幅、および第３捕捉部５３の幅を比較的小さくしやすい。そのため、第１捕捉部５１と第２捕捉部５２と第３捕捉部５３とによって保持される冷媒Ｗの量を少なくできる。これにより、第１捕捉部５１と第２捕捉部５２と第３捕捉部５３とによって保持されたまま、熱交換部３０の内部に残る冷媒Ｗの量を少なくでき、生成した冷媒Ｗをより無駄なく冷却対象へと送りやすい。
【０１２０】
また、本実施形態によれば、冷却対象である光変調ユニット４Ｒ，４Ｇ，４Ｂに設けられ、冷媒Ｗを保持する冷媒保持部７１が設けられる。そのため、光変調ユニット４Ｒ，４Ｇ，４Ｂに伝送された冷媒Ｗを、冷媒Ｗが気化するまで冷媒保持部７１によって光変調ユニット４Ｒ，４Ｇ，４Ｂに対して保持しておくことができる。これにより、生成した冷媒Ｗを無駄なく利用しやすく、冷却装置１０の冷却性能をより向上させることができる。
【０１２１】
また、本実施形態によれば、冷媒保持部７１は、冷却対象である光変調ユニット４Ｒ，４Ｇ，４Ｂの面に取り付けられ、かつ、多孔質部材製である。そして、冷媒保持部７１の少なくとも一部は、重ね方向の冷媒保持部７１側から視て、露出している。そのため、冷媒保持部７１の露出した部分から冷媒Ｗを気化させやすく、冷却装置１０の冷却性能をより向上させることができる。また、冷媒保持部７１が多孔質部材製であるため、毛細管現象によって、冷媒保持部７１が設けられた冷却対象の面上に均一に冷媒Ｗを行き渡らせやすく、より冷却対象を冷却しやすい。
【０１２２】
また、例えば、接着剤によって冷媒保持部７１を保持フレーム８０に固定する場合、接着剤が冷媒保持部７１に吸収されて、多孔質部材製である冷媒保持部７１の孔が塞がれる場合がある。そのため、冷媒保持部７１に冷媒Ｗが吸収されにくくなり、冷媒保持部７１によって冷媒Ｗを保持しにくくなる場合がある。
【０１２３】
これに対して、本実施形態によれば、冷媒保持部７１を保持フレーム８０との間で挟んで固定する固定部材７２が設けられている。そのため、接着剤を使用することなく、冷媒保持部７１を保持フレーム８０に対して固定することができる。これにより、冷媒保持部７１によって冷媒Ｗを保持しにくくなることを抑制できる。また、本実施形態では、固定部材７２は金属製である。そのため、固定部材７２は、熱伝導率が比較的高く、冷却されやすい。したがって、第１送風装置６０からの空気ＡＲ１および冷媒Ｗの気化によって固定部材７２の温度が低下しやすく、固定部材７２と接触する冷却対象をより冷却しやすい。
【０１２４】
また、本実施形態によれば、冷媒保持部７１は、保持フレーム８０における光変調装置４ＧＰの光入射側の面に設けられている。そのため、冷媒保持部７１から気化した冷媒Ｗの水蒸気が、光変調装置４ＧＰから光合成光学系５に射出される光に影響を与えることを抑制できる。これにより、プロジェクター１から投射される画像にノイズが生じることを抑制できる。
【０１２５】
また、本実施形態によれば、冷媒保持部７１は、複数設けられた光変調ユニット４Ｒ，４Ｇ，４Ｂにそれぞれ設けられ、複数の冷媒保持部７１同士を互いに連結する連結部７３ａ，７３ｂが設けられている。そのため、冷媒伝送部５０を１つの冷媒保持部７１に接続させることで、他の冷媒保持部７１にも冷媒Ｗを伝送することができる。これにより、プロジェクター１の内部における冷媒伝送部５０の引き回しを簡単化できる。
【０１２６】
また、本実施形態によれば、連結部７３ａ，７３ｂには、連結部７３ａ，７３ｂをそれぞれ覆う被覆部７４が設けられている。そのため、連結部７３ａ，７３ｂを伝って移動する冷媒Ｗが連結部７３ａ，７３ｂにおいて気化することを抑制できる。これにより、冷媒Ｗが冷却対象である光変調ユニット４Ｒ，４Ｇ，４Ｂの冷却に寄与せずに気化することを抑制でき、生成した冷媒Ｗが無駄になることを抑制できる。
【０１２７】
なお、本実施形態においては、連結部７３ａ，７３ｂと同様に、接続部５４が被覆されていてもよい。この構成によれば、冷却対象に伝送する間に冷媒Ｗが気化することを抑制できる。そのため、冷却対象に効率よく冷媒Ｗを伝送でき、かつ、生成した冷媒Ｗが無駄になることをより抑制できる。接続部５４および連結部７３ａ，７３ｂは、例えば、チューブ等によって周囲を被覆されてもよい。また、接続部５４および連結部７３ａ，７３ｂは、表面に気化を抑制するコーティング処理が施されてもよい。
【０１２８】
＜第２実施形態＞
本実施形態は、第１実施形態に対して、制御装置９０による制御手順が異なる点、および図２に二点鎖線で示す湿度センサー１９２を備える点が異なる。本実施形態のその他の構成は、第１実施形態のその他の構成と同様である。なお、上述した実施形態と同様の構成については、適宜同一の符号を付す等により説明を省略する場合がある。
【０１２９】
湿度センサー１９２は、例えば、プロジェクター１の筐体に設けられている。湿度センサー１９２は、プロジェクター１の周囲の湿度、すなわちプロジェクター１が設置される外部環境の湿度を計測可能である。湿度センサー１９２の計測結果は、制御装置９０に送られる。
【０１３０】
本実施形態において制御装置９０は、湿度センサー１９２から得られたプロジェクター１の周囲の湿度に基づいて、冷媒生成部２０を制御する。本実施形態において制御装置９０は、プロジェクター１の周囲の湿度に基づいて、第１送風装置６０の出力、加熱部２２の出力、および熱交換部３０の冷却度合いのうち少なくとも１つを制御する。本実施形態において制御装置９０は、プロジェクター１の周囲の湿度に基づいて、第１送風装置６０の出力、加熱部２２の出力、および熱交換部３０の冷却度合いのうち全てを制御する。第１送風装置６０の出力、加熱部２２の出力、および熱交換部３０の冷却度合いを調整する方法は、第１実施形態と同様である。
【０１３１】
図１１は、本実施形態の制御装置９０の制御手順の一例を示すフローチャートである。
図１１に示すように、制御装置９０は、プロジェクター１が起動した（ステップＳｔ２１）後、プロジェクター１の周囲の湿度が設定湿度範囲内か否かを判断する（ステップＳｔ２２）。本実施形態において制御装置９０は、湿度センサー１９２の計測結果からプロジェクター１の周囲の湿度が設定湿度範囲内か否かを判断する。
【０１３２】
設定湿度範囲は、例えば、予め設定された湿度範囲である。設定湿度範囲は、例えば、プロジェクター１が使用される場所における平均湿度等に基づいて決定される。設定湿度範囲は、例えば、４０％以上、６０％以下である。本実施形態において冷媒生成部２０の出力は、設定湿度範囲内において効率よく冷媒Ｗを生成できるように設定されている。なお、設定湿度範囲は、季節の変化およびプロジェクター１が設置される外部環境の変化等に応じて、適宜変更されてもよい。
【０１３３】
プロジェクター１の周囲の湿度が設定湿度範囲内である場合（ステップＳｔ２２：ＹＥＳ）、制御装置９０は、冷媒生成部２０の出力を現在の出力のまま維持する（ステップＳｔ２３）。すなわち、制御装置９０は、第１送風装置６０の出力、加熱部２２の出力、および熱交換部３０の冷却度合いを変更せず、現在の状態に維持したままにする。
【０１３４】
一方、プロジェクター１の周囲の湿度が設定湿度範囲外である場合（ステップＳｔ２２：ＮＯ）、制御装置９０は、プロジェクター１の周囲の湿度が設定湿度範囲よりも高いか否かを判断する（ステップＳｔ２４）。本実施形態において制御装置９０は、湿度センサー１９２の計測結果からプロジェクター１の周囲の湿度が設定湿度範囲よりも高いか否かを判断する。
【０１３５】
プロジェクター１の周囲の湿度が設定湿度範囲よりも高い場合（ステップＳｔ２４：ＹＥＳ）、制御装置９０は、冷媒生成部２０を低出力モードにする（ステップＳｔ２５）。低出力モードは、冷媒生成部２０の出力が、プロジェクター１の湿度が設定湿度範囲内である場合の冷媒生成部２０の出力よりも小さくなるモードである。すなわち、制御装置９０は、プロジェクター１の周囲の湿度が設定湿度範囲よりも高い場合、第１送風装置６０の出力、加熱部２２の出力、および熱交換部３０の冷却度合いを、プロジェクター１の周囲の湿度が設定湿度範囲内である場合に設定されている大きさよりも小さくする。
【０１３６】
低出力モードにおける冷媒生成部２０の出力は、例えば、一定であってもよいし、プロジェクター１の周囲の湿度の大きさに応じて変化してもよい。低出力モードにおける冷媒生成部２０の出力がプロジェクター１の周囲の湿度の大きさに応じて変化する場合、制御装置９０は、例えば、プロジェクター１の周囲の湿度が高いほど、冷媒生成部２０の出力を小さくする。この場合、冷媒生成部２０の出力の変化は、プロジェクター１の周囲の湿度に対して線形に変化してもよいし、段階的に変化してもよい。
【０１３７】
一方、プロジェクター１の周囲の湿度が設定湿度範囲よりも低い場合（ステップＳｔ２４：ＮＯ）、制御装置９０は、冷媒生成部２０を高出力モードにする（ステップＳｔ２６）。高出力モードは、冷媒生成部２０の出力が、プロジェクター１の湿度が設定湿度範囲内である場合の冷媒生成部２０の出力よりも大きくなるモードである。すなわち、制御装置９０は、プロジェクター１の周囲の湿度が設定湿度範囲よりも低い場合、第１送風装置６０の出力、加熱部２２の出力、および熱交換部３０の冷却度合いを、プロジェクター１の周囲の湿度が設定湿度範囲内である場合に設定されている大きさよりも大きくする。
【０１３８】
高出力モードにおける冷媒生成部２０の出力は、例えば、一定であってもよいし、プロジェクター１の周囲の湿度の大きさに応じて変化してもよい。高出力モードにおける冷媒生成部２０の出力がプロジェクター１の周囲の湿度の大きさに応じて変化する場合、制御装置９０は、例えば、プロジェクター１の周囲の湿度が低いほど、冷媒生成部２０の出力を大きくする。この場合、冷媒生成部２０の出力の変化は、プロジェクター１の周囲の湿度に対して線形に変化してもよいし、段階的に変化してもよい。
【０１３９】
以上より、制御装置９０は、プロジェクター１の周囲の湿度が設定湿度範囲外である場合、第１送風装置６０の出力、加熱部２２の出力、および熱交換部３０の冷却度合いのうち少なくとも１つを変更する。本実施形態において制御装置９０は、プロジェクター１の周囲の湿度が設定湿度範囲外である場合、第１送風装置６０の出力、加熱部２２の出力、および熱交換部３０の冷却度合いのうち全てを変更する。さらに、制御装置９０は、プロジェクター１の周囲の湿度が設定湿度範囲よりも高い場合、第１送風装置６０の出力、加熱部２２の出力、および熱交換部３０の冷却度合いのうち少なくとも１つを小さくし、また、プロジェクター１の周囲の湿度が設定湿度範囲よりも低い場合、第１送風装置６０の出力、加熱部２２の出力、および熱交換部３０の冷却度合いのうち少なくとも１つを大きくする。
【０１４０】
本実施形態において制御装置９０は、プロジェクター１の動作中において、上述したステップＳｔ２２〜ステップＳｔ２６における制御を所定時間ごとに繰り返して実行する。所定時間は、例えば、数秒程度である。本実施形態の制御を実行する間隔（所定時間）は、第１実施形態の制御を実行する間隔（所定時間）と同じであってもよいし、異なっていてもよい。
【０１４１】
例えば、プロジェクター１の周囲の湿度が設定湿度範囲よりも高い場合、第１送風装置６０によってプロジェクター１の外部から取り入れられる空気ＡＲ１に含まれる水蒸気の量が、プロジェクター１の周囲の湿度が設定湿度範囲内である場合よりも多くなる。そのため、空気ＡＲ１から吸放湿部材４０に吸湿される水蒸気の量が多くなり、結果として冷媒生成部２０における冷媒Ｗの生成量が増加する。そのため、冷却対象に必要以上に冷媒Ｗが伝送されて、冷却対象の温度が目標温度範囲よりも低くなる虞がある。また、冷媒Ｗが過剰に生成されて、冷媒Ｗがプロジェクター１の外部に漏出する虞もある。
【０１４２】
また、例えば、プロジェクター１の周囲の湿度が設定湿度範囲よりも低い場合、第１送風装置６０によってプロジェクター１の外部から取り入れられる空気ＡＲ１に含まれる水蒸気の量が少なくなる。そのため、空気ＡＲ１から吸放湿部材４０に吸湿される水蒸気の量が少なくなり、結果として冷媒生成部２０における冷媒Ｗの生成量が減少する。そのため、冷却対象に必要な量の冷媒Ｗが伝送されず、冷却対象の温度が目標温度範囲よりも高くなる虞がある。
【０１４３】
これらに対して、本実施形態によれば、制御装置９０は、プロジェクター１の周囲の湿度に基づいて、冷媒生成部２０を制御する。そのため、プロジェクター１の周囲の湿度に基づいて冷媒生成部２０において生成される冷媒Ｗの量を調整することができる。これにより、プロジェクター１の周囲の湿度が設定湿度範囲外であっても好適な量の冷媒Ｗを生成することができ、冷却対象の温度を目標温度範囲内に維持しやすい。したがって、冷却対象に不具合が生じることを抑制でき、プロジェクター１の信頼性が低下することを抑制できる。また、冷媒Ｗがプロジェクター１の外部に漏出することを抑制できる。
【０１４４】
また、本実施形態によれば、制御装置９０は、プロジェクター１の周囲の湿度に基づいて、第１送風装置６０の出力、加熱部２２の出力、および熱交換部３０の冷却度合いのうち少なくとも１つを制御する。そのため、第１実施形態と同様に、冷媒生成部２０の各部の出力等を調整することで、冷媒生成部２０において生成される冷媒Ｗの量を容易に調整できる。したがって、冷却対象の温度をより目標温度範囲内に維持しやすく、プロジェクター１の信頼性が低下することをより抑制できる。
【０１４５】
また、本実施形態によれば、制御装置９０は、プロジェクター１の周囲の湿度が設定湿度範囲外である場合、第１送風装置６０の出力、加熱部２２の出力、および熱交換部３０の冷却度合いのうち少なくとも１つを変更する。そのため、プロジェクター１の周囲の湿度が設定湿度範囲外である場合に、冷却対象の温度が目標温度範囲内となるように冷媒Ｗの生成量を調整できる。したがって、冷却対象の温度をより目標温度範囲内に維持しやすく、プロジェクター１の信頼性が低下することをより抑制できる。
【０１４６】
より詳細には、本実施形態では、制御装置９０は、プロジェクター１の周囲の湿度が設定湿度範囲よりも高い場合、第１送風装置６０の出力、加熱部２２の出力、および熱交換部３０の冷却度合いのうち少なくとも１つを小さくする。そのため、プロジェクター１の周囲の湿度が設定湿度範囲よりも高い場合に、冷媒Ｗの生成量を減少させることができ、冷却対象の冷却度合いが必要以上に大きくなることを抑制できる。これにより、冷却対象の温度が目標温度範囲よりも低くなることを抑制でき、冷却対象の温度を目標温度範囲内にすることができる。
【０１４７】
また、本実施形態では、制御装置９０は、プロジェクター１の周囲の湿度が設定湿度範囲よりも低い場合、第１送風装置６０の出力、加熱部２２の出力、および熱交換部３０の冷却度合いのうち少なくとも１つを大きくする。そのため、プロジェクター１の周囲の湿度が設定湿度範囲よりも低い場合に、冷媒Ｗの生成量を増加させることができ、冷却対象の冷却度合いが不十分になることを抑制できる。これにより、冷却対象の温度が目標温度範囲よりも高くなることを抑制でき、冷却対象の温度を目標温度範囲内にすることができる。
【０１４８】
また、本実施形態によれば、制御装置９０は、プロジェクター１の周囲の湿度に基づいて、第１送風装置６０の出力、加熱部２２の出力、および熱交換部３０の冷却度合いの全てを制御する。そのため、冷媒生成部２０において生成される冷媒Ｗの量をより容易に調整できる。これにより、冷却対象の温度をより目標温度範囲内に維持しやすい。したがって、プロジェクター１の信頼性が低下することをより抑制できる。
【０１４９】
なお、本実施形態においては、下記の構成および方法を採用することもできる。
制御装置は、冷却対象の温度およびプロジェクターの周囲の湿度のうち少なくとも一方に基づいて冷媒生成部を制御すればよい。すなわち、制御装置は、冷却対象の温度およびプロジェクターの周囲の湿度の両方に基づいて、冷媒生成部を制御してもよい。この場合、冷媒生成部において生成される冷媒の量をより好適に調整することができる。したがって、冷却対象の温度をより好適に目標温度範囲内に維持することができ、プロジェクターの信頼性が低下することをより抑制できる。
【０１５０】
冷却対象の温度およびプロジェクターの周囲の湿度の両方に基づいて冷媒生成部を制御する場合において、制御装置は、プロジェクターの周囲の湿度に基づく冷媒生成部の制御に対して、冷却対象の温度に基づく冷媒生成部の制御を優先させてもよい。この場合、制御装置は、冷却対象の温度に基づく冷媒生成部の出力の変化とプロジェクターの周囲の湿度に基づく冷媒生成部の出力の変化とが互いに逆向きの変化である場合に、冷却対象の温度に基づく冷媒生成部の出力の変化のみ実行し、プロジェクターの周囲の湿度に基づく冷媒生成部の出力の変化を実行しない。これにより、冷却対象の温度をより好適に目標温度範囲内に維持しやすくできる。
【０１５１】
制御装置は、冷媒生成部を制御する場合、第１送風装置の出力、加熱部の出力、および熱交換部の冷却度合いのうち少なくとも１つを制御すればよい。すなわち、制御部は、冷媒生成部を制御する場合、第１送風装置の出力、加熱部の出力、および熱交換部の冷却度合いのうちいずれか１つまたは２つのみを制御してもよい。熱交換部は、第１送風装置とは異なる送風装置から送られる空気によって冷却されてもよい。この場合、第１送風装置の出力と熱交換部の冷却度合いとを別々に調整することができる。
【０１５２】
加熱部は、上述した実施形態に限られない。加熱部は、吸放湿部材に接触して吸放湿部材を加熱する構成であってもよい。この場合、加熱部は、吸放湿部材を通過する前の空気を加熱しなくてもよい。
【０１５３】
上述した実施形態において冷却送風装置は、冷媒生成部２０に設けられた第１送風装置６０としたが、これに限られない。冷却送風装置は、冷媒生成部２０に設けられる送風装置の他に別途設けられていてもよい。
【０１５４】
冷却装置の構成は、上述した各実施形態の構成に限られない。冷却装置は、冷媒生成部と、冷媒伝送部と、を有していれば、特に限定されない。冷媒生成部は、例えば、ペルチェ素子の吸熱面において水蒸気を凝縮させて冷媒を生成する構成であってもよい。この場合、制御装置は、ペルチェ素子に加えられる電力を調整することで冷媒生成部を制御してもよい。
【０１５５】
また、上述した実施形態において冷却対象は、光変調ユニットとしたが、これに限られない。冷却対象は、光変調装置と、光変調ユニットと、光源装置と、光源装置から射出された光の波長を変換する波長変換素子と、光源装置から射出された光を拡散する拡散素子と、光源装置から射出された光の偏光方向を変換する偏光変換素子とのうちの少なくとも一つを含んでもよい。この構成によれば、プロジェクターの各部を上述したのと同様に、冷却することができる。
【０１５６】
また、上記実施形態において、透過型のプロジェクターに本発明を適用した場合の例について説明したが、本発明は、反射型のプロジェクターにも適用することも可能である。ここで、「透過型」とは、液晶パネル等を含む光変調装置が光を透過するタイプであることを意味する。「反射型」とは、光変調装置が光を反射するタイプであることを意味する。なお、光変調装置は、液晶パネル等に限られず、例えばマイクロミラーを用いた光変調装置であってもよい。
【０１５７】
また、上記実施形態において、３つの光変調装置を用いたプロジェクターの例を挙げたが、本発明は、１つの光変調装置のみを用いたプロジェクター、４つ以上の光変調装置を用いたプロジェクターにも適用可能である。
【０１５８】
また、本明細書において説明した各構成および各方法は、相互に矛盾しない範囲内において、適宜組み合わせることができる。
【符号の説明】
【０１５９】
１…プロジェクター、２…光源装置、４Ｒ，４Ｇ，４Ｂ…光変調ユニット（冷却対象）、４ＲＰ，４ＧＰ，４ＢＰ…光変調装置（冷却対象）、６…投射光学装置、１０…冷却装置、２０…冷媒生成部、２２…加熱部、２３…第２送風装置、３０…熱交換部、４０…吸放湿部材、５０…冷媒伝送部、６０…第１送風装置、９０…制御装置、Ｆ１…第１領域、Ｆ２…第２領域、Ｗ…冷媒
【図１】
0006919683.tif 000002
【図２】
0006919683.tif 000003
【図３】
0006919683.tif 000004
【図４】
0006919683.tif 000005
【図５】
0006919683.tif 000006
【図６】
0006919683.tif 000007
【図７】
0006919683.tif 000008
【図８】
0006919683.tif 000009
【図９】
0006919683.tif 000010
【図１０】
0006919683.tif 000011
【図１１】
0006919683.tif 000012